(57)【要約】【課題】  バインダテープを貼り付けた印刷物の綴じ代部分によってスタンプを含む出力イメージが隠蔽されるのを防ぎ、さらに、綴じ代部分を意識して表紙または裏表紙のイメージを印刷の度に作成したり、印刷の度にスタンプ位置を指定することなく効率的に印刷できるようにする。【解決手段】  クライアント１３０から印刷要求された印刷文書に対してバインダテープの綴じ代部分が印刷文書の表紙や裏表紙に重ならないようにするために印刷制御装置１００の厚さ測定部１２０で印刷依頼された印刷文書の背表紙幅を測定し、測定結果をもとに制御部１１０内の計算部１１１で綴じ代部分の幅を算出する。設定部１２１に設定してある設定情報に基づいてスタンプを移動部１１２で移動して表紙イメージと結合部１１３で結合したり、または結合したスタンプを含む表紙イメージをサイズ変更部１１４で縮小したりすることによって表紙イメージを制御する。【選択図】図１
2005235073.tif 000002
【特許請求の範囲】
【請求項１】
印刷された複数の用紙の背部分に所定の幅のバインダテープを貼り付けるとともに該バインダテープの前記背部分からはみ出した部分を前記複数の用紙の一枚目の表と最終枚の裏に折り返して綴じ代として貼り付けることにより製本する印刷装置を制御する印刷制御装置において、
前記印刷される複数の用紙の厚さを予め算出する第１の算出手段と、
前記第１の算出手段で算出された複数の用紙の厚さおよび前記バインダテープの幅に基づき前記綴じ代の幅を算出する第２の算出手段と、
前記第２の算出手段の算出結果に基づき前記複数の用紙の少なくとも一枚目の表に印刷される画像が前記綴じ代に含まれないように画像処理する画像処理手段と
を具備することを特徴とする印刷制御装置。
【請求項２】
前記第１の算出手段は、
前記複数の用紙の枚数および該用紙の１枚当たりの厚さに基づき前記複数の用紙の厚さを算出する
ことを特徴とする請求項１記載の印刷制御装置。
【請求項３】
前記画像処理手段は、
前記複数の用紙の一枚目の表に印刷される画像の所定の位置にスタンプを印刷する場合に、該スタンプの少なくとも一部が前記綴じ代に含まれる場合は、該スタンプの位置を前記綴じ代から離れた任意の位置に変更するスタンプ位置変更手段
を具備することを特徴とする請求項１記載の印刷制御装置。
【請求項４】
前記画像処理手段は、
前記複数の用紙の一枚目の表に印刷される画像の所定の位置にスタンプを印刷する場合に、該スタンプの少なくとも一部が前記綴じ代に含まれる場合は、該スタンプの位置を該スタンプが前記綴じ代に含まれないように前記綴じ代の幅分だけ移動するスタンプ位置移動制御手段
を具備することを特徴とする請求項１記載の印刷制御装置。
【請求項５】
前記画像処理手段は、
前記複数の用紙の一枚目の表に印刷される画像の少なくとも一部が前記綴じ代に含まれる場合は、該複数の用紙の一枚目の表に印刷される画像を該スタンプが前記綴じ代に含まれないように移動する画像移動制御手段
を具備することを特徴とする請求項１記載の印刷制御装置。
【請求項６】
前記画像処理手段は、
前記複数の用紙の一枚目の表に印刷される画像の少なくとも一部が前記綴じ代に含まれる場合は、該複数の用紙の一枚目の表に印刷される画像を該スタンプが前記綴じ代に含まれないように縮小する画像縮小制御手段
を具備することを特徴とする請求項１記載の印刷制御装置。
【請求項７】
印刷された複数の用紙の背部分に所定の幅のバインダテープを貼り付けるとともに該バインダテープの前記背部分からはみ出した部分を前記複数の用紙の一枚目の表と最終枚の裏に折り返して綴じ代として貼り付けることにより製本する印刷装置を制御する印刷制御方法において、
印刷される複数の用紙の厚さを予め第１の算出手段により算出し、
前記第１の算出手段で算出された複数の用紙の厚さおよび前記バインダテープの幅に基づき前記綴じ代の幅を第２の算出手段により算出し、
前記第２の算出手段の算出結果に基づき前記複数の用紙の少なくとも一枚目の表に印刷される画像が前記綴じ代に含まれないように画像処理手段により画像処理する
ことを特徴とする印刷制御方法。
【請求項８】
印刷された複数の用紙の背部分に所定の幅のバインダテープを貼り付けるとともに該バインダテープの前記背部分からはみ出した部分を前記複数の用紙の一枚目の表と最終枚の裏に折り返して綴じ代として貼り付けることにより製本する印刷装置を制御する印刷制御プログラムであって、
印刷される複数の用紙の厚さを予め算出するステップと、
該算出された複数の用紙の厚さおよび前記バインダテープの幅に基づき前記綴じ代の幅を算出するステップと、
前記綴じ代の幅の算出結果に基づき前記複数の用紙の少なくとも一枚目の表に印刷される画像が前記綴じ代に含まれないように画像処理するステップと
を含むことを特徴とする印刷制御プログラム。
【発明の詳細な説明】
【技術分野】
【０００１】
本発明は、印刷物の製本を行う印刷装置を制御する印刷制御装置および方法およびプログラムに関し、特に、バインダテープを貼り付けた印刷物の綴じ代部分によって表紙または裏表紙のスタンプを含む出力イメージが隠蔽されてしまうことを防止した印刷制御装置および方法およびプログラムに関する。
【背景技術】
【０００２】
一般に、バインダテープの幅は製本の対象となる印刷物の背表紙部分の幅よりも厚く、貼り付けた残りの部分が印刷物の表紙面と裏表紙面に折り返され綴じ代となるため、表紙面と裏表紙面のスタンプを含む出力イメージが隠されてしまい、特に作成日時などが含まれるスタンプは用紙の端に印刷する場合が多く、スタンプのみがバインダテープの綴じ代部分に隠されてしまうことがある。
【０００３】
このため、印刷製本を行う際の表紙または裏表紙の作成にはバインダテープの綴じ代部分の大きさを考慮して作成しなければならず、表紙または裏表紙の描画範囲が限定されてしまうだけでなく機能性や運用性に満足することはできない。
【０００４】
あらかじめ背表紙の綴じ代幅が確保された表紙を自動生成する従来技術として、特許文献１に開示されたものがある。
【０００５】
この特許文献１に開示された従来技術においては、記録媒体の厚みを自動的に検知し、厚みを積算して背表紙幅を計算し、計算した背表紙幅が確保された表紙を自動的に生成することが可能である。
【０００６】
製本表紙印刷が必要になった場合にアプリケーション側で原稿データを編集しないようにして、アプリケーション側の負担を軽くする技術として特許文献２に開示された従来技術がある。この従来技術では、印刷対象となっている原稿ページ全体を縮小し、貼り付け処理を行い、表紙用データを作成して表紙を作成することも可能にしている。
【特許文献１】特開２０００−１８４１５４
【特許文献２】特開２００２−２８３６４４
【発明の開示】
【発明が解決しようとする課題】
【０００７】
しかしながら、特許文献１に示された従来技術においては、幅広いさまざまな運用に応じた綴じ代の印刷を行うことができず、さらにはスタンプのような一部のイメージのみを移動させることができないという問題がある。
【０００８】
また、特許文献２に示された従来技術では、表紙または裏表紙に印刷するデータを縮小する際には全てのデータをまとめて縮小してしまうためスタンプのような一部のイメージだけを移動させることによって出力イメージが隠蔽されてしまうのを防ぐことはできない。
【０００９】
そこで、本発明は、背表紙の表紙または裏表紙に折り返される綴じ代部分のサイズを計算してスタンプを含む出力イメージが隠蔽されてしまうことを防止した印刷制御装置および方法およびプログラムを提供することを目的とする。
【課題を解決するための手段】
【００１０】
上記目的を達成するため、請求項１の発明は、印刷された複数の用紙の背部分に所定の幅のバインダテープを貼り付けるとともに該バインダテープの前記背部分からはみ出した部分を前記複数の用紙の一枚目の表と最終枚の裏に折り返して綴じ代として貼り付けることにより製本する印刷装置を制御する印刷制御装置において、前記印刷される複数の用紙の厚さを予め算出する第１の算出手段と、前記第１の算出手段で算出された複数の用紙の厚さおよび前記バインダテープの幅に基づき前記綴じ代の幅を算出する第２の算出手段と、前記第２の算出手段の算出結果に基づき前記複数の用紙の少なくとも一枚目の表に印刷される画像が前記綴じ代に含まれないように画像処理する画像処理手段とを具備することを特徴とする。
【００１１】
また、請求項２の発明は、請求項１の発明において、前記第１の算出手段は、前記複数の用紙の枚数および該用紙の１枚当たりの厚さに基づき前記複数の用紙の厚さを算出することを特徴とする。
【００１２】
また、請求項３の発明は、請求項１の発明において、前記画像処理手段は、前記複数の用紙の一枚目の表に印刷される画像の所定の位置にスタンプを印刷する場合に、該スタンプの少なくとも一部が前記綴じ代に含まれる場合は、該スタンプの位置を前記綴じ代から離れた任意の位置に変更するスタンプ位置変更手段を具備することを特徴とする。
【００１３】
また、請求項４の発明は、請求項１の発明において、前記画像処理手段は、前記複数の用紙の一枚目の表に印刷される画像の所定の位置にスタンプを印刷する場合に、該スタンプの少なくとも一部が前記綴じ代に含まれる場合は、該スタンプの位置を該スタンプが前記綴じ代に含まれないように前記綴じ代の幅分だけ移動するスタンプ位置移動制御手段を具備することを特徴とする。
【００１４】
また、請求項５の発明は、請求項１の発明において、前記画像処理手段は、前記複数の用紙の一枚目の表に印刷される画像の少なくとも一部が前記綴じ代に含まれる場合は、該複数の用紙の一枚目の表に印刷される画像を該スタンプが前記綴じ代に含まれないように移動する画像移動制御手段を具備することを特徴とする。
【００１５】
また、請求項６の発明は、請求項１の発明において、前記画像処理手段は、前記複数の用紙の一枚目の表に印刷される画像の少なくとも一部が前記綴じ代に含まれる場合は、該複数の用紙の一枚目の表に印刷される画像を該スタンプが前記綴じ代に含まれないように縮小する画像縮小制御手段を具備することを特徴とする。
【００１６】
また、請求項７の発明は、印刷された複数の用紙の背部分に所定の幅のバインダテープを貼り付けるとともに該バインダテープの前記背部分からはみ出した部分を前記複数の用紙の一枚目の表と最終枚の裏に折り返して綴じ代として貼り付けることにより製本する印刷装置を制御する印刷制御方法において、前記複数の用紙の枚数および該用紙の１枚当たりの厚さに基づき前記複数の用紙の厚さを算出し、前記第１の算出手段で算出された複数の用紙の厚さおよび前記バインダテープの幅に基づき前記綴じ代の幅を算出し、印刷される画像が前記綴じ代に含まれないように画像処理する方法として、スタンプの少なくとも一部が前記綴じ代に含まれる場合は、該スタンプの位置を前記綴じ代から離れた任意の位置に変更し、該スタンプの位置を該スタンプが前記綴じ代に含まれないように前記綴じ代の幅分だけ移動し、該複数の用紙の一枚目の表に印刷される画像を該スタンプが前記綴じ代に含まれないように移動し、該複数の用紙の一枚目の表に印刷される画像を該スタンプが前記綴じ代に含まれないように縮小し、さらに前記画像処理手段によって画像処理された一枚目の表と最終枚の裏を含む印刷文書を順次前記印刷装置に出力することを具備した特徴とする。
【００１７】
また、請求項８の発明は、印刷された複数の用紙の背部分に所定の幅のバインダテープを貼り付けるとともに該バインダテープの前記背部分からはみ出した部分を前記複数の用紙の一枚目の表と最終枚の裏に折り返して綴じ代として貼り付けることにより製本する印刷装置を制御する印刷制御プログラムにおいて、前記複数の用紙の枚数および該用紙の１枚当たりの厚さに基づき前記複数の用紙の厚さを算出するステップと、前記第１の算出手段で算出された複数の用紙の厚さおよび前記バインダテープの幅に基づき前記綴じ代の幅を算出するステップと、印刷される画像が前記綴じ代に含まれないように画像処理する方法として、スタンプの少なくとも一部が前記綴じ代に含まれる場合は、該スタンプの位置を前記綴じ代から離れた任意の位置に変更するステップと、該スタンプの位置を該スタンプが前記綴じ代に含まれないように前記綴じ代の幅分だけ移動するステップと、該複数の用紙の一枚目の表に印刷される画像を該スタンプが前記綴じ代に含まれないように移動するステップと、該複数の用紙の一枚目の表に印刷される画像を該スタンプが前記綴じ代に含まれないように縮小するステップと、さらに前記画像処理手段によって画像処理された一枚目の表と最終枚の裏を含む印刷文書を順次前記印刷装置に出力するステップとを具備した特徴とする。
【発明の効果】
【００１８】
本発明によれば、印刷文書の背表紙部分の厚さを計算してバインダテープの綴じ代の幅を計算し、綴じ代部分に表紙または裏表紙の出力イメージが重複することなく印刷することが出来るように構成したので、バインダテープを貼り付けた印刷物の綴じ代部分によって表紙または裏表紙のスタンプを含む出力イメージが隠蔽されるのを防ぎ、さらに、綴じ代部分を意識して表紙または裏表紙のイメージを印刷の度に作成したり、印刷の度にスタンプ位置を指定することなく効率的に印刷することが可能になるという効果を奏する。
【発明を実施するための最良の形態】
【００１９】
以下、本発明に係わる印刷制御装置および方法およびプログラムの一実施例を添付図面を参照して詳細に説明する。
【００２０】
図１は、この発明に係わる印刷制御装置および方法およびプログラムを適用して構成した印刷制御システムのシステム構成図である。
【００２１】
図１において、この印刷制御システムは、文書を印刷する際の印刷制御を行うプリントサーバ１００、プリントサーバ１００に印刷要求を送出するクライアント１３０、印刷された複数の用紙の背部分に所定の幅のバインダテープを貼り付けるとともに、そのバインダテープの前記背部分からはみ出した部分を上記複数の用紙の一枚目の表と最終枚の裏に折り返して綴じ代として貼り付けることにより製本するプリンタ１４０、これら３つの装置をリソースとしたネットワーク５０を具備して構成される。
【００２２】
プリントサーバ１００には、ネットワーク５０とのインターフェースであるネットワークアダプタ１０１、綴じ代部分に印刷文書の表紙または裏表紙の出力イメージが重複することなく印刷できるように印刷制御を行う制御部１１０、印刷文書の厚さを計測する厚さ測定部１２０、クライアント１３０から印刷要求された印刷文書の製本に関する画像処理方法（下記処理１〜５）を設定する設定部１２１、作成日時等のスタンプ位置の変更を行うための処理条件等をユーザが指定するために入力を行う入力部１２２を具備して構成され、上記制御部１１０においてはバインダテープの綴じ代部分の幅を算出する算出部１１１、作成日時等が含まれるスタンプの印刷される位置を入力部１２２から入力された情報に基づいて任意の位置に移動させたり、作成日時等が含まれるスタンプと表紙または裏表紙の出力イメージ全体をバインダテープの綴じ代部分の幅分だけ移動させる移動部１１２、スタンプイメージと表紙または裏表紙の出力イメージとマージ処理する結合部１１３、結合部１１３によってマージ処理されたイメージの縮小を行うサイズ変更部１１４、バインダテープの綴じ代部分によってスタンプや表紙イメージが隠れないように表紙の直前と裏表紙の直後にページを挿入する挿入部１１５を具備して構成されている。
【００２３】
ここでクライアント１３０では製本作業を行う印刷文書の印刷要求をプリントサーバ１００に対して送出する。
【００２４】
プリントサーバ１００では、クライアント１３０から送出されてきた印刷要求の印刷文書にバインダテープを付与するにあたり、バインダテープの綴じ代部分が表紙または裏表紙の出力イメージやスタンプと重なることを回避するための制御を行う。
【００２５】
この制御においては、印刷される複数の用紙の厚さを予め算出し、かつ該算出された複数の用紙の厚さおよびバインダテープの幅に基づき綴じ代の幅を算出する処理を算出部１１１で行い、更に、算出された上記綴じ代の幅に基づき上記複数の用紙の少なくとも一枚目の表に印刷される画像が綴じ代に含まれないような画像処理を移動部１１２、結合部１１３、サイズ変更部１１４及び挿入部によって行うように制御する。
【００２６】
この時、上記複数の用紙の厚さは、複数の用紙の枚数および該用紙の１枚当たりの厚さ（予め、設定部１２１に設定されている）に基づき行う。設定部１２１に設定された内容が処理（１）「作成日時等が含まれるスタンプの印刷される位置を自動的に任意の位置に変更して表紙または裏表紙の出力イメージとマージ処理を行う」という設定である場合には、スタンプを上記設定された位置に移動部１１２で移動した後、該スタンプと表紙または裏表紙の出力イメージと結合部１１３でマージ処理を行って印刷を行う。
【００２７】
また、設定部１２１に設定された内容が処理（２）「スタンプの印刷される位置をバインダテープの綴じ代部分の幅だけ上下左右に移動させて表紙または裏表紙の出力イメージとマージ処理を行う」という設定である場合には、上記算出部１１１で算出した綴じ代幅分の幅だけスタンプを移動部１１２で移動させ、スタンプと表紙イメージまたは裏表紙イメージを結合部１１３でマージ処理する。
【００２８】
また、設定部１２１に設定された内容が処理（３）「作成日時等が含まれるスタンプと表紙または裏表紙の出力イメージ全体をバインダテープの前記綴じ代部分の幅分だけ移動させる」という設定である場合には、上記算出部１１１で算出した綴じ代部分の幅だけスタンプと表紙イメージまたは裏表紙イメージを移動部１１２で移動させ、結合部１１３でスタンプと表紙イメージまたは裏表紙イメージをマージ処理する。
【００２９】
また、設定部１２１に設定された内容が処理（４）「作成日時等が含まれるスタンプと表紙または裏表紙の出力イメージをマージして該マージされた出力イメージ全体を綴じ代部分を除いた表紙または裏表紙全体の描画領域に描画できるように縮小する」という設定である場合には、上記算出部１１１で算出した綴じ代幅分を考慮し、該綴じ代を除いた表紙印刷部分にこれらのマージイメージを印刷できるように縮小する。
【００３０】
さらに、設定部１２１に設定された内容が処理（５）「作成日時等が含まれるスタンプや表紙の出力イメージを印刷するページの直前または前記スタンプや裏表紙の出力イメージを印刷ページの直後に前記バインダテープの綴じ代部分が折り返されるページを挿入する」という設定である場合には、表紙イメージの直前と裏表紙イメージの直後に用紙を挿入部１１５で挿入する。設定部１２１に設定されたいずれかの設定内容により印刷文書を制御し製本機能付きプリンタ１４０で印刷を行う。
【００３１】
図２は、この発明に係わる印刷制御システムの製本イメージを示す図である。
【００３２】
図２には、クライアント１３０からの印刷要求された印刷文書２０１の背表紙部分にバインダテープ２０２を貼り付けて製本作業された状態の印刷文書２０３を示している。
【００３３】
図３は、本発明の綴じ代部分の幅の算出方法を示す図である。
【００３４】
図３には、背表紙の厚さがｗである印刷文書３０１に印刷文書の背表紙の厚さｗよりも大きい幅のサイズｈｔ（ｈｔ＞ｗ）を持つバインダテープ３０２を背表紙部分に貼り付けて製本作業したときの表紙または裏表紙いずれかの綴じ代サイズを算出する方法を示しており、バインダテープの幅サイズｈｔと印刷文書の厚さｗの差（ｈｔ−ｗ）を求め、この差を半分にする（（ｈｔ−ｗ）／２）ことで表紙の綴じ代部分と裏表紙の綴じ代部分の幅を算出している。
【００３５】
図４は、１枚当りの記録媒体の厚さ（Ｈ）を用紙ごとに設定しておく設定画面である。
【００３６】
図４において、用紙厚さ設定画面４００は、用紙を識別する用紙名４０１、用紙名４０１に対する１枚当りの厚さ４０２を設定する項目を具備して構成されている。
【００３７】
図５は、表紙または裏表紙の出力イメージにスタンプをマージしたときのイメージ図である。
【００３８】
図５には、印刷要求された印刷文書の原稿イメージ５０１に作成日付等のスタンプ５０２をマージしたときのイメージ５０３であり、バインダテープを付与して製本した後の製本後イメージ５０４を示している。
【００３９】
図６は、スタンプイメージの移動先設定画面を示す図である。
【００４０】
図６において、上記図１の設定部１２１に設定されている設定情報を選択設定できるイメージ処理モードコンボボックス６０１、横イメージで書かれた印刷文書に対して処理を行うように設定する横イメージ設定チェックボックス６０２、横イメージで書かれた印刷文書のスタンプ位置を変更する位置設定コンボボックス６０３、縦イメージで書かれた印刷文書に対して処理を行うように設定する縦イメージ設定チェックボックス６０４、縦イメージで書かれた印刷文書のスタンプ位置を変更する位置設定コンボボックス６０５を具備して構成されている。
【００４１】
図７は、スタンプの任意移動と綴じ代幅移動の縦横イメージを示す図である。
【００４２】
図７には、図１の設定部１２１で設定されている設定情報のうち上記処理（１）と処理（２）の場合の横イメージと縦イメージの処理を示している。印刷要求された印刷文書７０１に作成日付等のスタンプイメージ７０２を付与したときに処理（１）で処理した場合、スタンプ任意移動時における原稿イメージとのマージイメージ７０３が示されており、マージされてスタンプが移動されたスタンプ任意移動時における製本後イメージ７０４が示されている。また、印刷要求された印刷文書７０１に作成日付等のスタンプイメージ７０２を付与したときに処理（２）で処理した場合、スタンプ綴じ代幅分移動時における原稿イメージとのマージイメージ７０５が示されており、綴じ代幅分移動するイメージを拡大した拡大図７０６が示されており、さらにスタンプ綴じ代幅分移動時における製本後イメージ７０７が示されている。
【００４３】
図８は、スタンプを表紙または裏表紙の出力イメージとマージして綴じ代幅分移動して縮小したときのイメージを示す図である。
【００４４】
図８には、図１の設定部１２１で設定されている設定情報のうち上記処理（３）と処理（４）の場合の処理を示している。印刷要求された印刷文書の原稿イメージ８０１に作成日付等のスタンプイメージ８０２を付与したときに処理（３）で処理した場合、スタンプイメージと原稿イメージをマージ後に綴じ代幅分移動したイメージ８０３が示されており、バインダテープを付与するために綴じ代幅分移動した拡大図８０４が示されており、バインダテープが貼り付けられて製本されたマージイメージの綴じ代幅分移動時における製本後イメージ８０５が示されている。また、印刷要求された印刷文書の原稿イメージ８０１にスタンプイメージ８０２を付与したときに処理（４）で処理した場合、スタンプイメージと原稿イメージをマージ後に縮小したイメージ８０６が示されており、このイメージを作成する手順としてマージイメージの縮小時イメージとの統合イメージ８０７を示しており、縮小した原稿イメージとスタンプイメージのマージイメージにバインダテープを付与して製本作業を行った後のマージイメージの縮小時における製本後イメージ８０８を示している。
【００４５】
図９は、表紙の直前と裏表紙の直後に用紙を挿入した印刷文書を示す図である。
【００４６】
図９には、印刷要求された印刷文書９０１の表紙の直前に挿入する表紙挿入用紙９０２と裏表紙の直後に挿入する裏表紙挿入用紙９０３をそれぞれ挿入した製本対象印刷文書９０４を示している。
【００４７】
次に、本システムの綴じ代幅を求めるフローチャートについて説明する。
【００４８】
図１０は、綴じ代幅を求めるフローチャートである。
【００４９】
図１０では、プリントサーバ１００がクライアント１３０から印刷要求を受け付ける（ステップ：１００１）と処理が開始され、印刷要求に含まれる印刷設定情報（両面／片面印刷、ページ数など）を取得し（ステップ：１００２）、印刷設定情報に両面印刷設定含まれるかの判断を行い（ステップ：１００３）、両面印刷が設定されていない場合（ステップ１００４の判定条件：ＮＯ）には、取得したページ数をシート数（Ｓ）として設定し（ステップ：１００５）、両面印刷が設定されている場合（ステップ１００３の判定条件：ＹＥＳ）には、次に取得した印刷設定情報のページ情報が奇数ページであるかどうかの判定（ステップ：１００４）を行う。ページ数が奇数である場合（ステップ１００４の判定条件：ＹＥＳ）には、取得したページ数を「（ページ数＋１）／２」の計算式に代入して得た数値をシート数（Ｓ）とし、ページ数が奇数でない場合（ステップ１００５の判定条件：ＮＯ）には、取得したページ数を「ページ数／２」の計算式に代入して得た数値をシート数（Ｓ）とする。ユーザによって印刷する印刷用紙を決定（ステップ：１００８）し、上記計算式により得たシート数（Ｓ）と図４に示す１枚あたりの記録媒体の厚さ（Ｈ）によって「１枚当りの記録媒体の厚さ（Ｈ）×シート数（Ｓ）」の計算式を実行して得た数値を印刷文書の厚さ（ｗ）とする（ステップ：１００９）。印刷文書に対して製本作業を行う場合のバインダテープ幅（ｈｔ）を取得（ステップ：１０１０）し、計算式「（バインダテープ幅（ｈｔ）−印刷文書の厚さ（ｗ））／２」にそれぞれの値を当てはめて得た数値を表紙または裏表紙の綴じ代幅とする。
【００５０】
図１１は、スタンプの印刷位置を制御するフローチャートである。
【００５１】
図１１では、クライアント１３０から送出されてくる印刷要求をラスタライズし、ページ数を取得する（ステップ：１１０１）と処理が開始され、バインダテープの指定があるかどうかの判定を行い（ステップ：１１０２）、バインダテープの指定がない場合（ステップ１１０２の判定条件：ＮＯ）には、エラー表示をして（ステップ：１１１０）処理を終了する。それに対してバインダテープの指定がある場合（ステップ１１０２の判定条件：ＹＥＳ）には、図９に示したフローチャートの処理を実行（ステップ：１１０３）することで綴じ代幅を求める。印刷要求された印刷文書の処理対象が先頭ページ（表紙）であるかまたは最終ページ（裏表紙）であるかの判定を行い（ステップ：１１０４）、処理対象が先頭ページ（表紙）であるかまたは最終ページ（裏表紙）のいずれでもない場合（ステップ１１０４の判定条件：ＮＯ）には、ページ数をインクリメント処理（ステップ：１１０６）する。先頭ページ（表紙）であるかまたは最終ページ（裏表紙）のいずれかである場合（ステップ１１０４の判定条件：ＹＥＳ）には、スタンプ位置の処理方法の設定があるかどうかの判定を行い（ステップ：１１０５）、設定がある場合（ステップ１１０５の判定条件：ＹＥＳ）には、処理（１）から処理（５）のいずれかによって処理を分岐する（ステップ：１１０７）。上記処理（１）から処理（５）のいずれかの処理終了後、または、スタンプ位置の処理方法の設定がない場合（ステップ１１０５の判定条件：ＮＯ）に処理対象ページが最終ページかどうかの判定を行う（ステップ：１１０８）。最終ページかどうかの判定において処理対象ページが最終ページでない場合（ステップ１１０８の判定条件：ＮＯ）には、処理対象ページが先頭ページ（表紙）または最終ページ（裏表紙）であるかの判定（ステップ：１１０４）の直前に戻り、最終ページである場合（ステップ１１０８の判定条件：ＹＥＳ）には、印刷ジョブを作成し、印刷ジョブをプリンタ１４０に送出する。
【００５２】
以上の処理によって、本発明の印刷制御システムでは、製本作業の度にユーザによって表紙イメージを別に作成したり、綴じ代位置を気にしながら表紙または裏表紙を作成する必要がなくなる。
【００５３】
これによって、綴じ代部分を意識することなく作成された既存文書に対してもバインダテープを用いて製本作業を容易に行うことが可能になる。
【００５４】
従って、本発明を適用することにより、大量の原稿イメージに対して１つ１つ綴じ代部分を設定することがなくなるので印刷効率が向上するという効果を期待できる。
【００５５】
なお、本発明は、上記し、且つ図面に示す実施例に限定することなく、その要旨を変更しない範囲内で適宜変形して実施できるものである。
【００５６】
例えば、上記実施例では、図４の記録媒体の厚さ登録を１枚当りの設定としているが、より実値に近づけるために複数の枚数を束ねた場合の厚さを設定できるようにしてもよい。具体的には１００枚束ねたときの厚さが１２ｍｍといったように設定する。
【００５７】
さらに図１０の綴じ代幅を求めるフローチャートにおいて、先頭ページ（表紙）又は最終ページ（裏表紙）に対してスタンプ位置の制御を行っているが、クライアントから要求された印刷文書の全ページに対して本発明を適用してもよい。
【産業上の利用可能性】
【００５８】
本発明は、印刷対象文書の背表紙部分にバインダテープを貼り付けて製本を行う後処理装置を備えるプリンタを制御できる印刷制御装置に適用可能であり、特に、綴じ代部分を意識して表紙または裏表紙のイメージを作成したり位置を指定したりすることがないため、バインダテープを用いた印刷物を大量に製本化するのに有用である。
【図面の簡単な説明】
【００５９】
【図１】本発明に係わる印刷制御システムのシステム構成を示す図。
【図２】本発明に係わる印刷文書に対するバインダテープの貼り付けイメージを示す図。
【図３】本発明の綴じ代部分の幅の算出方法を示す図。
【図４】本発明に係わる１枚当りの記録媒体の厚さ（Ｈ）の設定画面を示す図。
【図５】本発明の表紙または裏表紙の出力イメージにスタンプをマージしたときのイメージ図。
【図６】本発明のスタンプイメージ移動先設定画面を示す図。
【図７】本発明に係わるスタンプの任意移動と綴じ代幅移動の縦横イメージを示す図。
【図８】本発明に係わるスタンプを表紙または裏表紙の出力イメージとマージして綴じ代幅分移動して縮小したときのイメージを示す図。
【図９】本発明に係わる表紙の直前と裏表紙の直後に用紙を挿入した印刷文書を示す図。
【図１０】本発明に係わる綴じ代幅を求める処理を示すフローチャート。
【図１１】本発明に係わるスタンプの印刷位置を制御処理を示すフローチャート。
【符号の説明】
【００６０】
５０      ネットワーク
１００      プリントサーバ
１０１      ネットワークアダプタ
１１０      制御部
１１１      算出部
１１２      移動部
１１３      結合部
１１４      サイズ変更部
１２０      厚さ測定部
１２１      設定部
１３０      クライアント
１４０      製本機能付きプリンタ
２０１      印刷文書
２０２      バインダテープ
２０３      製本済み印刷文書
３０１      印刷物の厚さ（ｗ）
３０２      バインダテープの幅（ｈｔ）
３０３      綴じ代幅（（ｈｔ−ｗ）／２）
４００      用紙厚さ設定画面
４０１      用紙名
４０２      枚数に対する厚さ
５０１      原稿イメージ
５０２      スタンプイメージ
５０３      原稿にスタンプをマージしたイメージ
５０４      マージしたイメージにバインダテープを貼り付けた製本イメージ
６００      製本時のイメージ処理設定画面
６０１      イメージを制御するイメージ処理モードコンボボックス
６０２      横イメージ設定チェックボックス
６０３      横イメージ時におけるスタンプ位置設定コンボボックス
６０４      縦イメージ設定チェックボックス
６０５      縦イメージ時におけるスタンプ位置設定コンボボックス
７０１      原稿イメージ
７０２      スタンプイメージ
７０３      スタンプ任意移動時における原稿イメージとのマージイメージ
７０４      スタンプ任意移動時における製本後イメージ
７０５      スタンプ綴じ代幅分移動時における原稿イメージとのマージイメージ
７０６      スタンプイメージの綴じ代幅分移動における拡大図
７０７      スタンプ綴じ代幅分移動時における製本後イメージ
８０１      原稿イメージ
８０２      スタンプイメージ
８０３      スタンプイメージと原稿イメージをマージ後に綴じ代幅分移動したイメージ
８０４      マージイメージの綴じ代幅分移動における拡大図
８０５      マージイメージの綴じ代幅分移動時における製本後イメージ
８０６      スタンプイメージと原稿イメージをマージ後に縮小したイメージ
８０７      マージイメージの縮小時イメージとの統合イメージ
８０８      マージイメージの縮小時における製本後イメージ
９０１      印刷文書
９０２      表紙挿入用紙
９０３      裏表紙挿入用紙
９０４      製本対象印刷文書
【図１】
2005235073.tif 000003
【図２】
2005235073.tif 000004
【図３】
2005235073.tif 000005
【図４】
2005235073.tif 000006
【図５】
2005235073.tif 000007
【図６】
2005235073.tif 000008
【図７】
2005235073.tif 000009
【図８】
2005235073.tif 000010
【図９】
2005235073.tif 000011
【図１０】
2005235073.tif 000012
【図１１】
2005235073.tif 000013